(57)【要約】【課題】  上蓋と下蓋とがリンク機構で連結され、常時は上蓋の開放を一定間隔に制限して上階からの転落の危険を防止するロック機構を備えた避難用ハッチにおいて、緊急時に前記上蓋のロック機構を上階、下階のいずれの側からも解除でき、かつ上蓋と下蓋とを連動して開放できる避難用ハッチを提供する。【解決手段】  建物のベランダや床に穿設された開口部に配設され、リンク機構で連結され連動して開閉する上蓋と下蓋を備えた避難用ハッチにおいて、前記上蓋の裏面に固着された貫通長溝を有するロック金具と、前記ロック金具の貫通長溝に挿入され上蓋を上部に引き上げて開こうとしたときに前記ロック金具の貫通長溝の閉塞部を係止して一定間隔以上開かないようにする係止片を有するロックレバーと、下階からの操作によって前記係止片を前記ロック金具の貫通長溝から離脱させるロック開放用レバーとを備えてなる避難用ハッチによる。【選択図】  図１
2007050080.tif 000002
【特許請求の範囲】
【請求項１】
建物の上階と下階の間のベランダや床に穿設された四角形の開口部に配設され、リンク機構２０で連結され連動して開閉する上蓋２と下蓋３を備えた避難用ハッチ１において、
前記上蓋２の前方部左右いずれか一方の側端部付近の裏面に固着された貫通長溝を有するロック金具５と、
前記ロック金具５が固着された側のハッチ函体４の内側面前方部に固着されたベース１１に枢設され、常時は上蓋２の前記ロック金具５の貫通長溝に挿入され、上蓋２を上部に引き上げて開こうとしたとき、前記ロック金具５の貫通長溝の閉塞部を係止して一定間隔以上開かないようにする係止片６ｂを有するロックレバー６と、
前記ロックレバー６が枢設された側のハッチ函体４の内側面後方部に枢設され、前記ロックレバー６を回動して係止片６ｂを前記ロック金具５の溝から離脱させるためのロック開放用レバー７と、
を備えてなることを特徴とする避難用ハッチ。
【請求項２】
ロック開放用レバー７のロックレバー６と反対側端部に牽引紐１０を吊設し、同牽引紐１０を下方に引っ張ることによって、リンク機構２０とロック開放用レバー７が作動して、上蓋２と下蓋３が連動して開くことを特徴とする請求項１に記載の避難用ハッチ。
【請求項３】
前記ロックレバー６が、
平行四辺形の両鋭角部分を切断した多角形状の直立した板状の駆体部６ａと、
その上辺部から水平方向に突出しその一部が上方に折り曲げられて係止片６ｂを構成し、残りの部分が水平方向に延伸されてロック開放用突起６ｃをなす板状体と、
さらに、駆体部６ａの下辺部中央付近に該ロックレバー６を、ハッチ函体４に固着されたベース１１に枢設するための貫通孔６ｄを有する突出部６ｅと
が一体に形成されてなることを特徴とする請求項１又は２に記載の避難用ハッチ。
【請求項４】
前記ロック開放用レバー７が、
溝形断面の棒状体でなる開放用レバー本体７ａと、前記開放用レバー本体７ａの後端部寄りに固設され、前記開放用レバー本体７ａをハッチ函体４の側面に枢設するための腕木部７ｂとで構成され、
かつ、前記開放用レバー本体７ａの先端部には、前記ロックレバー６の下辺部先端を持ち上げて上蓋２のロック金具５の貫通長溝から前記ロックレバー６の係止片６ｂを離脱させるための下部突起８ａを持つラチェット開放金具８と、前記上蓋２が前記ロック開放用レバー７によってロックが解かれ上方に持ち上げられる際、前記開放用レバー本体７ａの先端と上蓋２の裏面との摺動抵抗を減少させるためのローラー９とが配設されてなることを特徴とする請求項１〜３のいずれか１項に記載の避難用ハッチ。
【請求項５】
前記ロックレバー６が、その下辺部先端を前記ラチェット開放金具８の下部突起８ａによって持ち上げられた際、前記ロックレバー６の回動が敏速、確実に実行できるよう前記ロックレバー６の躯体部６ａとベース１１の間にコイル状バネ１２が配設され、また前記ロックレバー６が必要以上に回動しないよう前記ベース１１にストッパー１３を備えてなることを特徴とする請求項１〜４のいずれか１項に記載の避難用ハッチ。
【請求項６】
前記ハッチ函体４の側面に、前記ラチェット開放金具８の下部突起８ａが前記ロックレバー６の下辺部先端の直下に位置するよう前記開放用レバー本体７ａを保持するための開放用レバー止め１４を備えてなることを特徴とする請求項１〜４のいずれか１項に記載の避難用ハッチ。
【発明の詳細な説明】
【技術分野】
【０００１】
建物の上階と下階の間のベランダや床に穿設された四角形の開口部に配設され、リンク機構で連結され連動して開閉する上蓋と下蓋を備えた避難用ハッチにおいて、常時はロック機構によってロックされている上蓋を避難・救助時に上階、下階のいずれの側からも開放できる避難用ハッチに関する。
【背景技術】
【０００２】
高層マンション等の建築物においては、火災発生時などの緊急時に住民や居住者等が上階から下階に迅速に避難して安全に屋外に逃げられるようベランダや上階の床などに避難用ハッチが設置される。
この避難用ハッチには、避難用に穿設された開口部が下階の火災を上階に延焼させない防火対策と、上階からの人の転落防止対策のため耐火性に富んだ上蓋を設け、常時は前記ハッチを封鎖しておく必要がある。
【０００３】
また、前記避難用ハッチ内には折りたたみ式の梯子が収納されているので、階下から前記梯子が容易に操作できるようであると、泥棒等が前記梯子を使用して下階から上階に簡単に侵入でき防犯上問題となる。そこで前記避難用ハッチに下蓋を設け、かつ下階からは下蓋の開放操作ができないように上蓋と下蓋をリンク機構で連結し、上蓋の開放に連動して下蓋が開くという構造のものが広く用いられているが、これにも緊急時に消防隊員や救助隊員がこの避難用ハッチを用いて下階から上階に行くしか手段のない場合には前記下蓋を破壊しなければならないという問題があった。
【０００４】
一方、避難用ハッチの上蓋が容易に開放できると、子供等の不用意な操作によってハッチが開かれ転落のおそれがある。したがって、常時は上蓋の裏面に配設した危険防止用金具に、ハッチ函体にその一端が固定されたくさりやリング等を係止しておき、避難時には前記上蓋を持ち上げたときに生じる上蓋とハッチ函体の隙間から手を差し入れて前記危険防止用金具からくさりやリングを外すようにした危険防止ロック機構（チャイルドロック）を採用した避難用ハッチも広く使用されている。しかしこれも、消防隊員や救急隊員が下階から上階に行こうとする場合に、前記危険防止ロック機構（チャイルドロック）が、隊員の頭部後方に位置するためロックを解除する操作が難しいという問題がある。まして上蓋と下蓋とがリンク機構によって連動する構造のものであれば，前述のように下蓋を破壊せねばならず、ロック解除の操作がより困難になるのは想像に難くない。
【０００５】
これらの問題に対する一つの解決策として、特開平１０−１２７７９６号公報に「ハッチ函体の開口部に上蓋を枢支し、一対の側板の一端部をハッチ函体下面開口縁部に揺動自在に枢支し、該側板には下蓋を枢支する。上蓋と側板とは左右一対のリンク機構で連結し、側板を上蓋の開放動作に連動させる一方、側板に下蓋とは下階からロック解除操作可能なロック機構によってロックし、ロック解除時に下蓋のみの開放可能とする」避難用ハッチの発明が開示されている。すなわち側板と下蓋とのロックを解除することによって上蓋と下蓋の連結を解除し、下蓋のみ下階から開放できるようにしたものである。
【特許文献１】特開平１０−１２７７９６号公報
【発明の開示】
【発明が解決しようとする課題】
【０００６】
上記背景技術の特開平１０−１２７７９６号公報に開示の発明は、前述のとおり側板と下蓋とのロックを解除することによって上蓋と下蓋の連動を解除し、下蓋のみ下階から開放できるようにしたものであり、ロック解除には専用のキーを必要とし、またキーを使用するためには前記避難用ハッチの下蓋に手が届く位置まで登らなければならない。したがって、避難梯子は、避難用ハッチ内に収容できる折り畳み型のものでなく、ハッチ函体の開口内側面の上方部にその上端が固定され、かつ下蓋とハッチ函体開口縁との間の隙間を通って下方に延び、その下方部が建築物の壁面に固定されたものが使用されることとなり、避難用ハッチを設置したベランダ等の利用可能スペースを減少させるだけでなく、幼児が登り降りして遊ぶ危険性を伴う。
また、下階から開放操作ができるのは下蓋のみであり、上蓋は梯子を登って押し上げて開く必要があり、まして危険防止ロック機構を備えた避難用ハッチでは、前述のように、頭部後方上部に位置する前記危険防止ロック機構を後ろ手でかつ片手で解除しなければならない不自然な姿勢での困難な作業を伴ない、緊急を要する救出作業を妨げるおそれがある。
したがって、本発明が解決しようとする課題は、上蓋と下蓋とがリンク機構で連結され、常時は上蓋の開放を一定間隔に制限して上階からの転落の危険を防止するロック機構（チャイルドロック）を備えた避難用ハッチにおいて、火災などの緊急時には前記上蓋のロック機構を、上階、下階のいずれの側から解除でき、かつ上蓋と下蓋とを連動して開放できる避難用ハッチを提供することにある。
【課題を解決するための手段】
【０００７】
本発明者は、上記課題を下記の手段により解決した。
（１）建物の上階と下階の間のベランダや床に穿設された四角形の開口部に配設され、リンク機構で連結され連動して開閉する上蓋と下蓋を備えた避難用ハッチにおいて、
前記上蓋の前方部左右いずれか一方の側端部付近の裏面に固着された貫通長溝を有するロック金具と、
前記ロック金具が固着された側のハッチ函体の内側面前方部に固着されたベースに枢設され、常時は上蓋の前記ロック金具の貫通長溝に挿入され、上蓋を上部に引き上げて開こうとしたとき、前記ロック金具の貫通長溝の閉塞部を係止して一定間隔以上開かないようにする係止片を有するロックレバーと、
前記ロックレバーが枢設された側のハッチ函体の内側面後方部に枢設され、前記ロックレバーを回動して係止片を前記ロック金具の溝から離脱させるためのロック開放用レバーと
を備えてなることを特徴とする避難用ハッチ。
【０００８】
（２）ロック開放用レバーのロックレバーと反対側端部に牽引紐を吊設し、同牽引紐を下方に引っ張ることによって、リンク機構とロック開放用レバーが作動して、上蓋と下蓋が連動して開くことを特徴とする前項（１）に記載の避難用ハッチ。                        
【０００９】
（３）前記ロックレバーが、
平行四辺形の両鋭角部分を切断した多角形状の直立した板状の駆体部と、
その上辺部から水平方向に突出しその一部が上方に折り曲げられて係止片を構成し、残りの部分が水平方向に延伸されてロック開放用突起をなす板状体と、
さらに駆体部の下辺部中央付近に該ロックレバーをハッチ函体に固着されたベースに枢設するための貫通孔を有する突出部と
が一体に形成されてなることを特徴とする前項（１）又は（２）に記載の避難用ハッチ。
【００１０】
（４）前記ロック開放用レバーが、
溝形断面の棒状体でなる開放用レバー本体と、前記開放用レバー本体の後端部寄りに固設され、前記開放用レバー本体をハッチ函体の側面に枢設するための腕木部とで構成され、
かつ、前記開放用レバー本体の先端部には、前記ロックレバーの下辺部先端を持ち上げて上蓋のロック金具の貫通長溝から前記ロックレバー係止片を離脱させるための下部突起を持つラチェット開放金具と、前記上蓋が前記ロック開放用レバーによってロックが解かれ上方に持ち上げられる際、前記開放用レバー本体の先端と上蓋の裏面との摺動抵抗を減少させるためのローラーとが配設されてなることを特徴とする前項（１）〜（３）のいずれか１項に記載の避難用ハッチ。
【００１１】
（５）前記ロックレバーが、その下辺部先端を前記ラチェット開放金具の下部突起によって持ち上げられた際、前記ロックレバーの回動が敏速、確実に実行できるよう前記ロックレバーの躯体部とベースの間にコイル状バネが配設され、また前記ロックレバーが必要以上に回動しないよう前記ベースにストッパーを備えてなることを特徴とする前項（１）〜（４）のいずれか１項に記載の避難用ハッチ。
【００１２】
（６）前記ハッチ函体の側面に、前記ラチェット開放金具の下部突起が前記ロックレバーの下辺部先端の直下に位置するよう前記開放用レバー本体を保持するための開放用レバー止めを備えてなることを特徴とする前項（１）〜（５）のいずれか１項に記載の避難用ハッチ。
【発明の効果】
【００１３】
本発明の避難用ハッチによって次のような効果が期待できる。
（ア）建物の上階と下階の間のベランダや床に穿設された四角形の開口部に配設され、リンク機構で連結され連動して開閉する上蓋と下蓋を備えた避難用ハッチにおいて、
前記上蓋の前方部左右いずれか一方の側端部付近の裏面に固着された貫通長溝を有するロック金具と、前記ロック金具が固着された側のハッチ函体の内側面前方部に固着されたベースに枢設され、常時は上蓋の前記ロック金具の貫通長溝に挿入され、上蓋を上部に引き上げて開こうとしたとき、前記ロック金具の貫通長溝の閉塞部を係止して一定間隔以上開かないようにする係止片を有するロックレバーを備えているので、避難用ハッチを不用意に引き上げても一定間隔以上は開かず、避難用ハッチからの転落する危険を防止することができる。
【００１４】
（イ）前記ロックレバーが、ロック開放用突起を備えているので、火災などの緊急時には上蓋の端部を引き上げてできた上蓋とハッチ函体との一定間隔の隙間から手を入れて前記開放用突起を押し下げると、ロックレバーの係止片がロック金具の貫通長溝から離脱するので、係止片が貫通長溝の閉塞部を係止しなくなり、上蓋をさらに引き上げられ、上蓋とこれに連動する下蓋とを上階で同時に開放でき、迅速な避難に役立つ。
【００１５】
（ウ）本避難用ハッチが、ハッチ函体の側面に枢設され、その先端部に前記ロックレバーの下辺部先端を引き上げてロック金具の貫通長溝からロックレバーの係止片を離脱させるための下部突起を持つラチェット開放金具を、また後端部には牽引紐が吊設されたロック開放用レバーを備えているので、下階から前記牽引紐を引き下げることによって、前記係止片がロック金具の貫通長溝から離脱し、さらに前記ロック開放用レバーの先端が上蓋の裏面を押し上げるので、上蓋とこれに連動する下蓋とを、前記牽引紐を引き下げるという一動作で一挙に開放でき、下階からの消防隊員や救助隊員の上階への進出が迅速・容易に行え、迅速な消火、救命活動が可能になる。
また、本避難用ハッチを地階の天井に配設することによって、地階から地上階への迅速な避難も可能になる。
【００１６】
（エ）前記（ウ）の効果、すなわち、従来下階から消防隊員や救急隊員の上階への進出の際に行われていた下蓋の開放（又は破損）、上蓋ロックの解除、そして上蓋の開放という一連の作業が、牽引紐を引き下げるという一動作ですむことに加えて、下蓋を開放するための足場として必要とされた建物壁面への梯子の設置が不要となり、また、足場の梯子につかまりながら頭部後方上部に位置する上蓋ロック機構を片手で解除するという不自然な姿勢での困難な作業がなくなるので、消防隊員や救助隊員の作業性を高め、かつ危険度の減少に役立つ。
【００１７】
（オ）前記（エ）の効果に加え、下階から消防隊員や救急隊員の上階への進出する際に、下蓋が破壊されないので、下階からの救助訓練が容易に繰り返し行え、住民の安心感の醸成に役立つ。
【００１８】
（カ）前記（エ）で記述したように、上蓋のロック解除と、上蓋と下蓋との開放とが下階から牽引紐を引き下げるという一動作ですむことから足場として建物壁面へ設置されていた梯子が不要となるので、避難用ハッチの設置場所付近の整理が図れ、また幼児などが壁面に設置された梯子を登り降りする危険を皆無にできる。
【発明を実施するための最良の形態】
【００１９】
本発明の避難用ハッチを実施するための最良の形態を、実施例の図面に基づいて説明する。
図１は本発明の避難用ハッチの斜視図、図２は本発明避難用ハッチの上蓋のロック機構及びロック開放機構の構造図、図３はロックレバーの斜視図、図４（ａ）〜図４（ｃ）は本発明の避難用ハッチを上階から開放する場合の作用説明図、図５は本発明ハッチを下階から開放する場合の作用説明図である。
図において１は避難用ハッチ、２は上蓋、３は下蓋、３ａは切り欠き、４はハッチ函体、５はロック金具、６はロックレバー、６ａは躯体部、６ｂは係止片、６ｃはロック開放用突起、６ｄは貫通孔、６ｅは突出部、６ｆは下辺端部、７はロック開放用レバー、７ａは開放用レバー本体、７ｂは腕木部、８はラチェット開放金具、８ａは下部突起、９はローラー、１０は牽引紐、１１はベース、１２はコイル状バネ、１３はストッパー、１４は開放用レバー止め、１５は丸頭ボルト、２０はリンク機構である。
【００２０】
本発明の避難用ハッチ１は、図１及び図２に示すように、ハッチ函体４の上下の開口部にそれぞれ上蓋２及び下蓋３がリンク機構２０で連結されて連動して開閉するように枢支されてなり、そして前記上蓋２の前方の左右いずれか一方の側端部付近の裏面には貫通長溝を有するロック金具５が固着されている。
また、前記上蓋２にロック金具５が固着された側のハッチ函体４の内側面には、前記上蓋２を上部に引き上げて開こうとしたときに前記ロック金具５の貫通長溝に挿入された係止片６ｂ（図３参照）が前記ロック金具５の貫通長溝の閉塞部を係止し、前記上蓋２が一定間隔以上開かないようにするロックレバー６が、ベース１１を介して枢設されている。
さらに、前記ロックレバー６が枢設された側のハッチ函体４の内側面後方部には、前記ロックレバー６を回動して係止片６ｂを前記ロック金具５の溝から離脱させるためのロック開放用レバー７が枢設されている。
【００２１】
前記ロックレバー６は、図３に見られるように、平行四辺形の両鋭角部分を切断したような多角形状の直立した板状体でなる駆体部６ａと、その上辺部から水平方向に突出しその一部が上方に折り曲げられて係止片６ｂを構成し、残りの部分が水平方向に延伸されてロック開放用突起６ｃをなす板状体と、さらに駆体部６ａの下辺部中央付近に該ロックレバーをハッチ函体４に固着されたベース１１に枢設するための貫通孔６ｄを有する突出部６ｅとが一体に形成されている。
なお、前記ロック開放用突起６ｃは、本避難用ハッチ１を上階で開放する際、これを押し下げることによって前記ロックレバー６を丸頭ボルト１５（図４参照）を中心軸に回動させて前記係止片６ｂを前記ロック金具５の貫通長溝から離脱させ、上蓋２を全開可能とするためのものである。
【００２２】
前記ロック開放用レバー７は、溝形断面の棒状体でなる開放用レバー本体７ａと、前記開放用レバー本体７ａの中央より後部寄りに固設され、前記開放用レバー本体７ａをハッチ函体４の側面に枢設するための腕木部７ｂとで構成され、かつ、前記開放用レバー本体７ａの先端部に、前記ロックレバー６の下辺部先端を持ち上げて上蓋２のロック金具５の貫通長溝から前記ロックレバー６の係止片６ｂを離脱させるための下部突起８ａを持つラチェット開放金具８と、前記上蓋２が前記ロック開放用レバー７によってロックが解かれ上方に持ち上げられる際、前記レバー本体７ａの先端と上蓋２の裏面との摺動抵抗を減少させるためのローラー９とが配設され、また、前記開放用レバー本体７ａの後端部には下階から前記ロック開放用レバー７を操作するための牽引紐１０が下蓋３とハッチ函体４との間に設けた隙間から前記下蓋３の外側に現れるよう吊設されている。
また、前記ラチェット開放金具８の下部突起８ａが前記ロックレバー６の下辺部先端の直下に位置するよう前記開放用レバー本体７ａを保持するための開放用レバー止め１４が前記ハッチ函体４の側面に固着されている。
【００２３】
そして前記ロックレバー６の下辺部先端が前記ラチェット開放金具８の下部突起８ａによって持ち上げられた際、前記ロックレバー６の回動が敏速、確実に実行できるよう前記ロックレバー６の駆体部６ａとベース１１の間にコイル状バネ１２が配設され、また前記ロックレバー６が必要以上に回動しないよう前記ベース１１にストッパー１３が備えられている。
【００２４】
本発明の避難用ハッチ１の開放方法とその作用について述べる。
本発明の避難用ハッチ１の上階における開放は次による。
〈１〉図４（ａ）に矢印Ａで示すように上蓋２先端部を上方に持ち上げると上蓋２の裏面に固着されたロック金具５も引き上げられ、図４（ｂ）に示すように前記ロック金具５の貫通長溝の閉塞部がロックレバー６の係止片６ｂによって係止されるので、上蓋２はハッチ函体４から一定間隔以上は開放できない。これによって子供などの不用意な操作によってハッチが開かれて転落事故を起こす危険を防止している。
〈２〉そこで上蓋２を持ち上げたことで生じた上蓋２とハッチ函体４との一定間隔の隙間から手を差し込み、図４（ｂ）に矢印Ｂで示すように、ロックレバー６の開放用突起６ｃを下方に押し下げる。するとロックレバー６は図４（ｃ）に見られるように丸頭ボルト１５を中心軸として回動し、係止片６ｂが前記ロック金具５の貫通長溝から離脱するので、ハッチ函体に枢支された上蓋２は全開可能になる。
〈３〉上蓋２を開くことによってリンク機構２０（図１参照）で連結された下蓋３も連動して開放され、ハッチ内に折り畳んで収納した梯子の垂下が可能になる。
【００２５】
本発明の避難用ハッチ１の下階からの開放は次による。
〈１’〉開放用レバー本体７ａの端部に吊設された牽引紐１０の下方の下蓋に配設された切り欠き３ａから先端に鈎を備えた鈎棒等を挿入して前記牽引紐１０に引っ掛け、前記牽引紐１０を図５（ａ）に矢印Ａ’で示したように下方に引くと、開放用レバー本体７ａの後端部が引き下げられ、ロック開放用レバー７が腕木部７ｂの枢支点を軸にして回動し、開放用レバー本体７ａの先端は上方に引き上げられる。したがって、開放用レバー本体７ａの先端部に固着されたラチェット開放金具８も上方に引き上げられ、同ラチェット開放金具８の下部突起８ａが前記ロックレバー６の下辺端部６ｆを持ち上げるので、前記ロックレバー６は図５（ｂ）に見られるように丸頭ボルト１５を中心軸として回動し、係止片６ｂが前記ロック金具５の貫通長溝から離脱する。
〈２’〉その後も前記牽引紐１０を下方に引き下げ続けると、開放用レバー本体７ａの先端が図５（ｂ）に示すように上蓋２の裏面に接触して上蓋２を押し上げるので上蓋２を全開することができる。
この場合、上蓋２と下蓋３がリンク機構２０で連動可能に連結されていることが、下蓋３が開くときに加わる重力を前記牽引紐１０を引き下げる力の減少をもたらしている。
【００２６】
以上のように、本発明の避難用ハッチ１は、上蓋２と下蓋３とがリンク機構で連結されてその開閉が連動する避難用ハッチであり、危険防止のために上蓋２をロックする機構を備えるとともに、そのロックを上階、下階いずれの側からも解除でき、かつ下階からは牽引紐１０を引き下げるという一操作だけで上下の蓋を一度に開放できるものとなっている。
【００２７】
避難用ハッチ１を避難、救助訓練等で開放した後、元の状態に戻すには、次の手順による。
〈１”〉垂下した折り畳み型避難梯子を巻き上げてハッチ函体４内に収容する。
〈２”〉開放用レバー本体７ａを開放用レバー止め１４に保持させる。
〈３”〉ロックレバー６を回動し、ロックレバー駆体部６ａの下辺端部６ｆをラチェット開放金具８の下部突起８ａの上に、また係止片６ｂを前記ロック金具５の貫通長溝に挿入される位置に配置させる。
〈４”〉上蓋２と下蓋３とを連動させながらハッチ函体４の開口部を閉鎖する。
この際上蓋２の裏面に固着されたロック金具５の貫通長溝の閉塞部がロックレバー６の係止片６ｂの上面を摺動して降下するので、ロックレバー６はロック金具５に押されて僅かに回動するが、このロック金具５によってロックレバー６を回動させようとする力をロックレバー６の駆体部６ａとベース１１との間に配設されたコイル状バネ１２（図１参照）が撓むことによって吸収し、前記ロック金具５の貫通長溝の閉塞部が係止片６ｂの先端を通過した瞬間に前記コイル状バネ１２が吸収した力をはき出して係止片６ｂを前記ロック金具５の貫通長溝に挿入する。
【産業上の利用可能性】
【００２８】
本発明の避難用ハッチは、新築建造物はもちろんのこと、既設の避難用ハッチの改修用としても使用できる。
【図面の簡単な説明】
【００２９】
【図１】本発明の避難用ハッチの斜視図
【図２】本発明避難用ハッチの上蓋のロック機構及びロック開放機構の構造図
【図３】ロックレバーの斜視図
【図４（ａ）】本発明の避難用ハッチを上階から開放する場合の作用説明図
【図４（ｂ）】本発明の避難用ハッチを上階から開放する場合の作用説明図
【図４（ｃ）】本発明の避難用ハッチを上階から開放する場合の作用説明図
【図５（ａ）】本発明の避難用ハッチを下階から開放する場合の作用説明図
【図５（ｂ）】本発明の避難用ハッチを下階から開放する場合の作用説明図
【符号の説明】
【００３０】
１：避難用ハッチ
２：上蓋
３：下蓋
３ａ：切り欠き
４：ハッチ函体
５：ロック金具
６：ロックレバー
６ａ：駆体部
６ｂ：係止片
６ｃ：ロック開放用突起
６ｄ：貫通孔
６ｅ：突出部
６ｆ：下辺端部
７：ロック開放用レバー
７ａ：開放用レバー本体
７ｂ：腕木部
８：ラチェット開放金具
８ａ：下部突起
９：ローラー
１０：牽引紐
１１：ベース
１２：コイル状バネ
１３：ストッパー
１４：開放用レバー止め
１５：丸頭ボルト
２０：リンク機構
【図１】
2007050080.tif 000003
【図２】
2007050080.tif 000004
【図３】
2007050080.tif 000005
【図４（ａ）】
2007050080.tif 000006
【図４（ｂ）】
2007050080.tif 000007
【図４（ｃ）】
2007050080.tif 000008
【図５（ａ）】
2007050080.tif 000009
【図５（ｂ）】
2007050080.tif 000010